(57)【特許請求の範囲】
【請求項１】
液体を、壁面に沿って流下させることにより、該壁面上に装飾イメージを形成するようにした壁面ディスプレイ装置であって、
前記壁面を、その下端部を液体貯留部に浸漬させると共に上昇移動させ、
該壁面の上昇速度を変化させることにより、該速度変化に応じた異なる装飾イメージを形成する
ことを特徴とする壁面ディスプレイ装置。
【請求項２】
請求項１に記載の壁面ディスプレイ装置において、
前記壁面は、鉛直面，傾斜面又は曲面の何れかをなすように構成されている
ことを特徴とする壁面ディスプレイ装置。
【請求項３】
請求項１又は２に記載の壁面ディスプレイ装置において、
前記壁面は、駆動ローラ及び従動ローラに巻回されたベルトにより構成されており、前記駆動ローラを回転速度可変モータにより回転駆動することにより前記ベルトを上昇移動させる
ことを特徴とする壁面ディスプレイ装置。
【請求項４】
請求項１ないし３の何れかに記載の壁面ディスプレイ装置において、
前記壁面には、上昇移動方向と交差する方向に延びる凹凸が形成されている
ことを特徴とする壁面ディスプレイ装置。
【発明の詳細な説明】
【技術分野】
【０００１】
本発明は、水等を壁面に沿って流下させることにより該壁面上に人目を引く装飾イメージを形成するようにした壁面ディスプレイ装置に関する。
【背景技術】
【０００２】
この種の壁面ディスプレイ装置として、例えば、特許文献１には、ポンプにより汲み上げた水を壁面に沿って流下させることにより、例えば滝の様な外観を有する装飾イメージを形成するようにしたものが提案されている。
【先行技術文献】
【特許文献】
【０００３】
【特許文献１】特開２０１１−２３００５２号公報
【発明の概要】
【発明が解決しようとする課題】
【０００４】
ところで、前記従来の壁面ディスプレイ装置では、水を壁面に沿って流下させるだけのものであるので外観が単調となり易く、さらなる外観の向上を図る上での新たな工夫が要請されている。
【０００５】
また、前記従来装置では、水を壁面上方まで吸い上げるポンプや配管が必要であることから、それだけコスト高になるという問題がある。
【０００６】
本発明は、前記従来の状況に鑑みてなされたもので、コスト高を招くことなく、さらなる外観の向上を図ることができる壁面ディスプレイ装置を提供することを課題としている。
【課題を解決するための手段】
【０００７】
請求項１の発明は、液体を、壁面に沿って流下させることにより、該壁面上に装飾イメージを形成するようにした壁面ディスプレイ装置であって、前記壁面を、その下端部を液体貯留部に浸漬させると共に上昇移動させ、該壁面の上昇速度を変化させることにより、該速度変化に応じた異なる装飾イメージを形成することを特徴としている。
【０００９】
請求項２の発明は、請求項１に記載の壁面ディスプレイ装置において、前記壁面は、鉛直面，傾斜面又は曲面の何れかをなすように構成されていることを特徴としている。
【００１０】
請求項３の発明は、請求項１又は２に記載の壁面ディスプレイ装置において、前記壁面は、駆動ローラ及び従動ローラに巻回されたベルトにより構成されており、前記駆動ローラを回転速度可変モータにより回転駆動することを特徴としている。
【００１１】
請求項４の発明は、請求項１ないし３の何れかに記載の壁面ディスプレイ装置において、前記壁面には、上昇移動方向と交差する方向に延びる凹凸が形成されていることを特徴としている。
【発明の効果】
【００１２】
請求項１の発明に係る壁面ディスプレイ装置によれば、壁面の下端部を液体貯留部に浸した状態で該壁面を上昇移動させたので、貯留部の液体は壁面により掻き上げられてその一部は該壁面と共に上昇し、他の一部は壁面に沿って流下することとなる。この上昇する液体と流下する液体とで壁面に波状に揺れる水溜まり状の模様が形成されることとなり、従来にない変化に富んだ装飾イメージを形成することができ、さらなる外観の向上を図ることができる。
【００１３】
また前記壁面を上昇移動させるだけの構成であるから、例えばモータや人手により上昇させることができ、従来のポンプや配管で水を壁面上端に押し上げて該壁面上を流下させる構造に比べて、構造の簡素化，装置全体の小型化，低価格化が可能となる。
【００１４】
また、壁面の上昇速度を変化させたので、壁面の速度変化に応じた装飾イメージを形成することができる。
【００１５】
例えば、液体が壁面を流下する速さより該壁面の上昇移動を速くした場合には、流れ落ちる液体が掻き上げられた液体により上方に運ばれ易くなり、あたかも液体が壁面上を上昇しているように見える。
【００１６】
また液体が流れ落ちる速さと壁面の上昇速度とを略同じとした場合には、壁面上の液体全体が位置的に同じ高さで流れ続けることとなり、この場合は液体が壁面に溜まっているように見える。
【００１７】
一方、液体が流れ落ちる速度に対して壁面の上昇速度を遅くした場合には、液体が壁面に沿って緩やかに流れることとなり、前述とは異なる装飾イメージを形成することができる。
【００１８】
請求項２の発明では、壁面を鉛直面，傾斜面，曲面の何れかをなすように構成したので、壁面の傾斜角度に変化させることにより、それぞれ異なった装飾イメージを形成することが可能となる。
【００１９】
請求項３の発明では、壁面を駆動ローラ及び従動ローラに巻回されたベルトにより構成し、駆動ローラを回転速度可変モータにより回転駆動するようにしたので、必要最小限の部品でもって壁面の速度制御や連続運転が可能となる。
【００２０】
請求項４の発明では、壁面に凹凸を形成したので、液体の掻き上げをスムーズに行うことができるとともに、流れ落ちる液体の流下速度を抑えることが可能となり、壁面上での液体の滞留時間を長くすることができる。
【図面の簡単な説明】
【００２１】
【図１】本発明の実施例１に係る壁面ディスプレイ装置の側面図である。
【図２】前記壁面ディスプレイ装置の正面図である。
【図３】前記壁面ディスプレイ装置の平面図である。
【図４】前記壁面ディスプレイ装置による一装飾例を示す図である。
【図５】前記壁面ディスプレイ装置のベルトによる壁面の第１変形例を示す図である。
【図６】前記壁面の第２変形例を示す図である。
【発明を実施するための形態】
【００２２】
以下、本発明の実施の形態を添付図面に基づいて説明する。
【実施例１】
【００２３】
図１ないし図４は、本発明の実施例１による壁面ディスプレイ装置を説明するための図である。
【００２４】
図において、１は本発明の実施例１による壁面ディスプレイ装置を示している。この壁面ディスプレイ装置１は、水Ｗを流下させることで装飾イメージを形成するようにしたものであり、壁面５を構成する無端状のベルト２と、所定量の水Ｗが貯留された水貯留槽３と、前記ベルト２を回転駆動する回転駆動機構４と、該回転駆動機構４が搭載された支持台６とを備えている。
【００２５】
前記支持台６は、前記水貯留層３内に配置されたベース部６ａと、該ベース部６ａに起立形成された支柱部６ｂとを有する略Ｌ字形状をなしており、前記ベース部６ａ部分は水没している。
【００２６】
前記駆動機構４は、前記ベルト２を回転移動する駆動ローラ９，従動ローラ１０及び該駆動ローラ９を回転駆動する回転速度可変モータ１１を備えている。この駆動ローラ９と従動ローラ１０に前記ベルト２が巻回されている。
【００２７】
前記駆動ローラ９は、前記支持部６ａの上端部に取り付け固定された左，右の上側ブラケット１３，１３により上側ベアリング１４，１４を介在させて回転自在に支持されている。また前記駆動ローラ９の軸端部９ａにはプーリ１７が取り付け固定されている。
【００２８】
前記従動ローラ１０は、前記支持部６ａの下端部に取り付け固定された左，右の下側ブラケット１５，１５により下側ベアリング１６，１６を介在させて回転自在に支持されている。
【００２９】
前記回転速度可変モータ１１は、ステッピングモータ等が採用されており、前記支持部６ａの上面に配置固定されている。前記モータ１１の回転軸１１ａには回転プーリ１８が取り付け固定されており、該回転プーリ１８と前記プーリ１７とはタイミングベルト１９により連結されている。前記モータ１１により前記ベルト２は側面視時計回りに回転駆動され、これによりベルト２の壁面５は上昇方向Ａに移動する。
【００３０】
前記ベルト２は、幅広に形成され、その外周面に前記壁面５を形成した構造を有し、前記駆動ローラ９に共に回転するよう巻回されている。
【００３１】
前記ベルト２の下端部２ａは前記水貯留層３内に配置されており、これにより前記壁面５の下端部５ａは水貯留層３の水Ｗに常時浸漬されている。
【００３２】
前記ベルト２の壁面５には、該壁面５の上昇移動方向Ａと直交方向に延びる凸部５ｂが周方向に所定間隔をあけて形成されている。ここで、前記各凸部５ｂの間隔ｓ及び移動方向寸法ｔはできるだけ小さく設定するのが望ましい。このようにすることで掻き上げ量及び壁面滞留量の増加が可能となり、装飾イメージの形成が容易となる。
【００３３】
そして前記モータ１１を壁面５の上昇速度に対応した回転速度となるよう設定し、該モータ１１によりベルト２を回転駆動させることで壁面５を所定の速度でもって上昇移動させる。
【００３４】
すると水貯留槽３の水Ｗは壁面５の各凸部５ｂより掻き上げられ、該壁面５上を上昇しつつその一部Ｗ1が壁面５に沿って流下することとなる（図４参照）。この上昇する水Ｗと流下する水Ｗ1とで壁面５に多数の波が連続して揺れ動く水溜まりを形成することができ、これがあたかも川の流れや滝が静止しているかの如く見える。
【００３５】
このように本実施例によれば、無端状ベルト２に形成された壁面５の下端部５ａを水貯留槽３の水Ｗに浸した状態で該壁面５を上昇方向Ａに移動させたので、水貯留槽３の水Ｗは壁面５より掻き上げられ、該壁面５上を上昇しつつその一部Ｗ1が壁面５に沿って流下することとなる。すると前述ように、上昇する水と流下する水Ｗ1とで壁面５上に波状に揺れ動く水溜まりが形成されることとなり、従来にない変化に富んだ人目を引く装飾イメージを形成することができ、さらなる外観の向上を図ることができる。
【００３６】
また前記モータ１１で前記ベルト２の壁面５を上昇移動させるだけの構成であるから、従来のポンプや配管で水を吸い上げる場合に比べて簡単な構造で実現でき、ひいては装置全体の小型化，低価格化が可能となる。
【００３７】
本実施例では、前記モータ１１により壁面５の上昇速度を変化させたので、壁面５の速度変化に応じた装飾イメージを形成することができる。
【００３８】
ここで、壁面５を流下する水Ｗ1の速さより該壁面５の上昇移動を速くした場合には、流れ落ちる水Ｗ1が掻き上げられた水Ｗにより上方に運ばれることにより、全体として水Ｗ1が壁面５上を上昇するように、あるいは壁面５上に滞留しているように見えることとなり、前述の装飾イメージを形成することができる。
【００３９】
また流下する水Ｗ1の速さと壁面５の上昇速度とを略同じとした場合には、壁面５上の水Ｗ1全体が位置的に同じ高さで流れ続けることとなり、前記水溜まりを形成することができる。
【００４０】
一方、流下する水Ｗ1の速度に対して壁面５の上昇速度を遅くした場合には、水Ｗ1が壁面５に沿って緩やかに流れることとなり、前述とは異なる装飾イメージを形成することができる。
【００４１】
また本実施例では、前記ベルト２を駆動ローラ９及び従動ローラ１０に巻回されたベルト２により構成し、前記駆動ローラ９をモータ１１により回転駆動したので、必要最小限の部品でもって壁面５の速度制御や連続運転が可能となり、商品化した場合の価値を高めることができる。
【００４２】
さらに本実施例では、前記ベルト２の壁面５に上昇移動方向Ａと直交方向に延びる凸部５ｂを移動方向に所定間隔をあけて形成したので、水の掻き上げをスムーズに行うことができるとともに、流れ落ちる水の流下速度を抑えることが可能となり、壁面５上での水の滞留時間を長くすることができ、模様の異なる各種の装飾イメージを形成することが可能となる。
【００４３】
なお、前記実施例では、ベルト２の壁面５が鉛直面をなすように構成したが、
本発明はこれに限られるものではない。
【００４４】
図５は、前記実施例の第１変形例によるベルトを示しており、これはベルト２０を壁面２０ａが鉛直面Ｖに対して角度θだけ傾斜するように構成した例である。このようにした場合には、壁面２０ａの水の滞留量を増やすことができ、前記実施例とは異なる装飾イメージを形成することができる。
【００４５】
図６は、前記実施例の第２変形例によるベルトを示しており、これはベルト２１を壁面２１ａが円形状の曲面をなすように構成した例であり、このようにした場合には、壁面２１ａの略全周面に装飾イメージを形成することが可能となる。
【００４６】
また前記実施例では、前記壁面５に凹凸を形成したが、本発明では、壁面をフラットにしてもよい。
【符号の説明】
【００４７】
１  壁面ディスプレイ装置
２，２０，２１  ベルト
３  水貯留槽（液体貯留部）
５，２０ａ，２１ａ  壁面
５ａ  下端部
５ｂ  凸部（凹凸）
９  駆動ローラ
１０  従動ローラ
１１  回転速度可変モータ
Ａ  上昇移動方向
【図１】
0006574124.tif 000002
【図２】
0006574124.tif 000003
【図３】
0006574124.tif 000004
【図４】
0006574124.tif 000005
【図５】
0006574124.tif 000006
【図６】
0006574124.tif 000007